【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
フレキシブル包装用ウェブであって、
（ａ）１２００００ｐｓｉ未満の割線係数及び１５０％を超える破断点伸びを特徴とする非延伸シーラントフィルムを備え、ここで、該非延伸シーラントフィルムは、同時押出インフレートフィルムであり、該非延伸シーラントフィルムは、エチレン／ビニルアルコール共重合体、エチレン／ノルボルネン共重合体、ポリアミド及びそれらのブレンドよりなる群から選択される材料の熱可塑性層と、ポリエチレン、ポリエチレン共重合体、イオノマー及びそれらのブレンドから選択される材料のヒートシール層とを備え、該非延伸シーラントフィルムの基層は、その上に付着した１．０〜１００ナノメートルの厚さ及び１．０〜３．０の光学密度を有する金属被覆を有し； 
（ｂ）該フレキシブル包装用ウェブは、７３°Ｆ及び０％の相対湿度で０〜１０．０ｃｍ3／１００インチ2／２４時間（２３℃で０〜１５５ｃｍ3／ｍ2／２４時間）の酸素ガス透過速度を有し、１００°Ｆ及び９０％の相対湿度で０〜０．１ｇ／１００インチ2／２４時間（３８℃で０〜１．５５ｇ／ｍ2／２４時間）の水蒸気透過速度を有する、
フレキシブル包装用ウェブ。
【請求項２】
前記金属被覆が真空蒸着アルミニウム又はアルミニウム含有合金である、請求項１に記載のフレキシブル包装用ウェブ。
【請求項３】
前記基層が０．０５〜１０ミルの厚さ（１．２７〜２５４ミクロン）を有する、請求項１に記載のフレキシブル包装用ウェブ。
【請求項４】
前記基層がエチレン／ビニルアルコール共重合体を含み、前記包装用ウェブが７３°Ｆで０〜０．５ｃｍ3／１００インチ2／２４時間（２３℃で０〜７．７５ｃｍ3／ｍ2／２４時間）の酸素ガス透過速度を有する、請求項１に記載のフレキシブル包装用ウェブ。
【請求項５】
前記基層がポリアミドを含み、前記包装用ウェブが７３°Ｆで０〜０．５ｃｍ3／１００インチ2／２４時間（２３℃で０〜７．７５ｃｍ3／ｍ2／２４時間）の酸素ガス透過速度を有する、請求項１に記載のフレキシブル包装用ウェブ。
【請求項６】
前記基層がエチレン／ノルボルネン共重合体を含み、前記包装用ウェブが７３°Ｆで０〜５．０ｃｍ3／１００インチ2／２４時間（２３℃で０〜７７．５ｃｍ3／ｍ2／２４時間）の酸素ガス透過速度を有する、請求項１に記載のフレキシブル包装用ウェブ。
【請求項７】
前記包装用ウェブが２８０°Ｆ（１３８℃）で２０００ｇ／インチ（ｇ／２．５４ｃｍ）の最小ヒートシール強度を有する、請求項１に記載のフレキシブル包装用ウェブ。
【請求項８】
前記包装用ウェブがポリエチレンテレフタレート、ポリプロピレン、ポリアミド若しくはポリ乳酸を含む延伸フィルム又は紙若しくは再生セルロースのフィルムをさらに備える、請求項１に記載のフレキシブル包装用ウェブ。
【請求項９】
フレキシブル包装用ウェブであって、
（ａ）１２００００ｐｓｉ未満の割線係数及び１５０％を超える破断点伸びを特徴とする非延伸シーラントフィルムを備える第１層を有し、ここで、該非延伸シーラントフィルムは、同時押出インフレートフィルムであり、該非延伸シーラントフィルムはエチレン／ビニルアルコール共重合体の熱可塑性基層と、ポリエチレン、ポリエチレン共重合体、イオノマー又はそれらのブレンドのヒートシール層とを備え、該非延伸シーラントフィルムの基層は、その上に付着した１．０〜１００ナノメートルの厚さ及び１．０〜３．０の光学密度を有する金属被覆を有し；
（ｂ）該金属被覆に隣接して配置される第２層をさらに有し、ここで、該第２層は、ポリエチレンテレフタレート、ポリプロピレン、ポリアミド若しくはポリ乳酸の延伸フィルム又は紙若しくは再生セルロースのフィルムを備え；
（ｃ）該フレキシブル包装用ウェブが７３°Ｆ及び０％の相対湿度で０〜０．５ｃｍ3／１００インチ2／２４時間（２３℃で０〜７．７５ｃｍ3／ｍ2／２４時間）の酸素ガス透過速度を有し、１００°Ｆ及び９０％の相対湿度で０〜０．１ｇ／１００インチ2／２４時間（３８℃で０〜１．５５ｇ／ｍ2／２４時間）の水蒸気透過速度を有する、
フレキシブル包装用ウェブ。
【請求項１０】
前記金属被覆が真空蒸着アルミニウム又はアルミニウム含有合金である、請求項９に記載のフレキシブル包装用ウェブ。
【請求項１１】
前記基層が０．０５〜１０ミルの厚さ（１．２７〜２５４ミクロン）を有する、請求項９に記載のフレキシブル包装用ウェブ。
【請求項１２】
前記フレキシブル包装用ウェブが２８０°Ｆ（１３８℃）で２０００ｇ／インチ（ｇ／２．５４ｃｍ）の最小ヒートシール強度を有する、請求項９に記載のフレキシブル包装用ウェブ。
【請求項１３】
フレキシブル包装用ウェブであって、
（ａ）１２００００ｐｓｉ未満の割線係数及び１５０％を超える破断点伸びを特徴とする非延伸シーラントフィルムを備える第１層を有し、ここで、該非延伸シーラントフィルムは、同時押出インフレートフィルムであり、該非延伸シーラントフィルムはエチレン／ノルボルネン共重合体の熱可塑性基層と、ポリエチレン、ポリエチレン共重合体、イオノマー又はそれらのブレンドのヒートシール層とを備え、該非延伸シーラントフィルムの基層は、その上に付着した１．０〜１００ナノメートルの厚さ及び１．０〜３．０の光学密度を有する金属被覆を有し；
（ｂ）該金属被覆に隣接して配置される第２層をさらに有し、ここで、該第２層は、ポリエチレンテレフタレート、ポリプロピレン、ポリアミド若しくはポリ乳酸の延伸フィルム又は紙若しくは再生セルロースのフィルムを備え；
（ｃ）該フレキシブル包装用ウェブが７３°Ｆ及び０％の相対湿度で０〜５．０ｃｍ3／１００インチ2／２４時間の酸素ガス透過速度（２３℃で０〜７７．５ｃｍ3／ｍ2／２４時間）を有し、１００°Ｆ及び９０％の相対湿度で０〜０．１ｇ／１００インチ2／２４時間の水蒸気透過速度（３８℃で０〜１．５５ｇ／ｍ2／２４時間を有する、
フレキシブル包装用ウェブ。
【請求項１４】
前記金属被覆が真空蒸着アルミニウム又はアルミニウム含有合金である、請求項１３に記載のフレキシブル包装用ウェブ。
【請求項１５】
前記基層が０．０５〜１０ミルの厚さ（１．２７〜２５４ミクロン）を有する、請求項１３に記載のフレキシブル包装用ウェブ。
【請求項１６】
前記フレキシブル包装用ウェブが２８０°Ｆ（１３８℃）で２０００ｇ／インチ（ｇ／２．５４ｃｍ）の最小ヒートシール強度を有する、請求項１３に記載の包装用ウェブ。
【請求項１７】
フレキシブル包装用ウェブであって、
（ａ）１２００００ｐｓｉ未満の割線係数及び１５０％を超える破断点伸びを特徴とする非延伸シーラントフィルムを備える第１層を有し、ここで、該非延伸シーラントフィルムは、同時押出インフレートフィルムであり、該非延伸シーラントフィルムはポリアミドの熱可塑性基層と、ポリエチレン、ポリエチレン共重合体、イオノマー又はそれらのブレンドのヒートシール層とを備え、該非延伸シーラントフィルムの基層は、その上に付着した１．０〜１００ナノメートルの厚さ及び１．０〜３．０の光学密度を有する金属被覆を有し；
（ｂ）該金属被覆に隣接して配置される第２層をさらに含み、ここで、該第２層は、ポリエチレンテレフタレート、ポリプロピレン、ポリアミド若しくはポリ乳酸の延伸フィルム又は紙若しくは再生セルロースのフィルムを備え；
（ｃ）該フレキシブル包装用ウェブが７３°Ｆ及び０％の相対湿度で０〜０．５ｃｍ3／１００インチ2／２４時間（２３℃で０〜７．７５ｃｍ3／ｍ2／２４時間）の酸素ガス透過速度を有し、１００°Ｆ及び９０％の相対湿度で０〜０．１ｇ／１００インチ2／２４時間（３８℃で０〜１．５５ｇ／ｍ2／２４時間）の水蒸気透過速度を有する、
フレキシブル包装用ウェブ。
【請求項１８】
前記金属被覆が真空蒸着アルミニウム又はアルミニウム含有合金である、請求項１７に記載のフレキシブル包装用ウェブ。
【請求項１９】
前記基層が０．０５〜１０ミルの厚さ（１．２７〜２５４ミクロン）を有する、請求項１７に記載のフレキシブル包装用ウェブ。
【請求項２０】
前記フレキシブル包装用ウェブが２８０°Ｆ（１３８℃）で２０００ｇ／インチ（ｇ／２．５４ｃｍ）の最小ヒートシール強度を有する、請求項１７に記載のフレキシブル包装用ウェブ。
【請求項２１】
前記非延伸シーラントフィルムが非晶質ポリアミド共重合体の基層を備える、請求項１７に記載のフレキシブル包装用ウェブ。